(57)【要約】      （修正有）【課題】壁体が安定に発熱するイオン導電コンクリート積みブロック壁体を提供する。【解決手段】各列の積みブロック組は共に端末ブロック７と、上から下へ順次相互に畳置されている第一ブロック５及び第二ブロック６とを含み、端末ブロック７は積みブロック組の最下方に位置し、最下の第一ブロック５又は第二ブロック６は端末ブロック７の上に畳置され、第一ブロック５の長さは第二ブロック６の長さよりも長く、隣り合う二つの第二ブロック６同士の間にコンクリートブロック８が設けられ、第一ブロック５、第二ブロック６と端末ブロック７のそれぞれの上端に集液プールが設けられ、各列の積みブロック組毎におけるすべての集液プールは相互に連通し、注液管系統の插入管１０は最下の集液プールに相通し、通気管系統の通気管９は最上の集液プールに相通し、通気管系統と注液管系統は共に添料系統に接続する。【選択図】図１
2018188950.tif 000002
【特許請求の範囲】
【請求項１】
イオン導電コンクリート積みブロック壁体であって、通気管系統、注液管系統、添料系統、電装箱、複数の列並列の積みブロック組を含み、各列の積みブロック組は共に終端積みブロックと、上から下へ順次相互に畳置されている第一の積みブロック及び第二の積みブロックとを含み、前記終端積みブロックは前記積みブロック組の最下方に位置し、最下の前記第一の積みブロック又は前記第二の積みブロックは前記終端積みブロックの上に畳置され、前記第一の積みブロックの長さは前記第二の積みブロックの長さよりも長く、隣り合う二つの前記第二の積みブロック同士の間にコンクリートブロックが設けられ、前記第一の積みブロック、前記第二の積みブロックと前記終端積みブロックのそれぞれの上端に集液プールが設けられ、各列の積みブロック組毎におけるすべての前記集液プールは相互に連通し、前記注液管系統の插入管は最下の前記集液プールに相通し、前記通気管系統の通気管は最上の前記集液プールに相通し、前記通気管系統と前記注液管系統は共に前記添料系統に接続しており、前記第一の積みブロック、前記第二の積みブロックと前記終端積みブロックに共に電極組が設けられ、前記電極組の二電極はそれぞれ前記集液プールの両側に位置し、各組の前記電極組が並列接続されて前記電装箱と接続しており、前記第一の積みブロックと前記第二の積みブロックのそれぞれの下端に共に封止突起が設けられ、前記封止突起は隣り合う前記集液プールの上部に嵌め込み、前記第一の積みブロックと前記第二の積みブロックに共に予埋通気管が設けられ、前記予埋通気管は上下に隣り合う二つの前記集液プールを連通させており、前記挿入管は前記積みブロック組の最上の前記集液プールから挿入し終端積みブロックの前記集液プールに延伸し、前記集液プールの上部に支持槽が設けられ、前記支持槽の断面積は前記集液プールの断面積より大きくて、前記封止突起は前記積載槽に押着されており、前記封止突起に封止接着剤が塗布されており、前記第一の積みブロック、前記第二の積みブロックと前記終端積みブロックのそれぞれの外面に共に防水フィルムが塗布されており、前記第一の積みブロック、前記第二の積みブロック、前記終端積みブロックと前記コンクリートブロックとの間の隙間に防水モルタルが充填されており、前記の電極は片型状であり、前記電極の幅は前記第一の積みブロックの幅または前記第二の積みブロックの幅より小さく又はそれと等しくて、前記電極の一端に雄プラグが設けられ、前記電極の他端に雌ソケットが設けられ、前記電極の端部の前記雄プラグは上下に隣り合う前記電極の端部の前記雌ソケットに挿入されており、前記集液プールの体積と相応する前記第一の積みブロックの体積、前記第二の積みブロックの体積又は前記終端積みブロックの体積との比は25％以下であり、前記挿入管に貫通孔が設けられ、前記貫通孔の位置は前記集液プールの空間内に位置し、前記第一の積みブロック、前記第二の積みブロックと前記終端積みブロックは共に長方体であり、前記集液プールの形状は方形である、ことを特徴とするイオン導電コンクリート積みブロック壁体。
【発明の詳細な説明】
【技術分野】
【０００１】
本発明は壁体充填ブロックの技術分野に属し、特にイオン導電コンクリート積みブロック壁体に関する。
【背景技術】
【０００２】
コンクリート気泡ブロックは壁体充填材料であり、穴が多く、口径が大きく、自重が少ないなどの特徴を持ち、現代建築の壁体に広く応用され、構造負荷を受けず、外周体と空間を分割する役割があり、一定の防音断熱の性能がある。イオン導電コンクリート積みブロックはコンクリート気泡ブロックの作用と特徴を持ち、一種の新興のセメント基複合導電材料である。イオン導電コンクリート積みブロックの中に穴が多く、電解質溶液の十分な浸透に有利だけでなく、コンクリート気泡ブロックの各種の長所も備える。今までの研究によって、イオン導電コンクリートの導電と発熱の性能が優れていることが分かり、広い応用の見通しを持っている。
【０００３】
イオン導電コンクリートはブロックの形で現れるのは応用の要求を満足させるためである。イオン導電ブロックを壁体で集積し、室内の暖房、熱橋効果を除去し、温室の保温に使える。しかしながら、イオン導電ブロック自身にとって依然として以下の製造上の難点が存在する。１、イオン導電ブロックの体積が大きく、工期の要求を保証するため、電解質溶液がブロックの内部に速やか浸透することが要求され、ブロック構造の最適化設計をする必要がある。２、研究によると、イオン導電ブロックの導電性は齢期の増加につれて徐々に弱くなり、長い時間通電し発熱すると、その内部の水分が急速に蒸発し、導電性の損失が大きい。３、イオン導電ブロックを壁体は積み上げた後、勝手に移動できないので、このように壁体を移動しない場合でも、壁体が安定に発熱させることは緊急に解決を必要とする問題である。
【先行技術文献】
【特許文献】
【０００４】
【特許文献１】中国特許第104234258号明細書
【特許文献２】中国特許第102966118号明細書
【発明の概要】
【発明が解決しようとする課題】
【０００５】
従来の問題点に対して、本発明の目的は、壁体が安定に発熱するイオン導電コンクリート積みブロック壁体を提供することにある。
【課題を解決するための手段】
【０００６】
上記の目的を達成するために、本発明は次のような技術方案を採用している。
【０００７】
イオン導電コンクリート積みブロック壁体であって、通気管系統、注液管系統、添料系統、電装箱、複数の列並列の積みブロック組を含み、各列の積みブロック組は共に終端積みブロックと、上から下へ順次相互に畳置されている第一の積みブロック及び第二の積みブロックとを含み、終端積みブロックは積みブロック組の最下方に位置し、最下の第一の積みブロック又は第二の積みブロックは終端積みブロックの上に畳置され、第一の積みブロックの長さは第二の積みブロックの長さよりも長く、隣り合う二つの第二の積みブロック同士の間にコンクリートブロックが設けられ、第一の積みブロック、第二の積みブロックと終端積みブロックのそれぞれの上端に集液プールが設けられ、各列の積みブロック組毎におけるすべての集液プールは相互に連通し、注液管系統の插入管は最下の集液プールに相通し、通気管系統の通気管は最上の集液プールに相通し、通気管系統と注液管系統は共に添料系統に接続しており、第一の積みブロック、第二の積みブロックと終端積みブロックに共に電極組が設けられ、電極組の二電極はそれぞれ集液プールの両側に位置し、各組の電極組が並列接続されて電装箱と接続しており、更には、第一の積みブロックと第二の積みブロックのそれぞれの下端に共に封止突起が設けられ、封止突起は隣り合う集液プールの上部に嵌め込み、第一の積みブロックと第二の積みブロックに共に予埋通気管が設けられ、予埋通気管は上下に隣り合う二つの集液プールを連通させており、挿入管は前記積みブロック組の最上の前記集液プールから挿入し終端積みブロックの集液プールに延伸し、上に第一ブロックと第二ブロックを積載することができ、同時に受液プールに電解質溶液と水分を添加することができ、空気などの気泡が換気管によって排出される。
【０００８】
更には、集液プールの上部に支持槽が設けられ、支持槽の断面積は集液プールの断面積より大きくて、封止突起は前記積載槽に押着されており、上に第一ブロック或いは第二ブロックを積載することができる。
【０００９】
更には、封止突起に封止接着剤が塗布されており、第一の積みブロック、第二の積みブロックと終端積みブロックのそれぞれの外面に共に防水フィルムが塗布されている。
【００１０】
更には、第一の積みブロック、第二の積みブロック、終端積みブロックとコンクリートブロックとの間の隙間に防水モルタルが充填されており、水分の流出を防ぐ。
【００１１】
更には、前記の電極は片型状であり、電極の幅は第一の積みブロックの幅または第二の積みブロックの幅より小さく又はそれと等しく、電極の一端に雄プラグが設けられ、電極の他端に雌ソケットが設けられ、電極の端部の雄プラグは上下に隣り合う電極の端部の雌ソケットに挿入されており、二つの電極の間のブロックに電流が通過し、ブロックが発熱し、すべてのブロックが並列に電気回路に接続する。
【００１２】
更には、集液プールの体積と相応する第一の積みブロックの体積、第二の積みブロックの体積又は終端積みブロックの体積との比は25％以下であり、電解質溶液は速やかに第一ブロック、第二ブロックまた端末ブロックに浸透することができる。
【００１３】
更には、挿入管に貫通孔が設けられ、貫通孔の位置は集液プールの空間内に位置し、挿入管に溶液を通す時、溶液が相応するスルーホールを通過し相応する受液プールの中に流れ出て、これにより添加システムからの圧力を減少させる。
【００１４】
更には、第一の積みブロック、第二の積みブロックと終端積みブロックは共に長方体であり、集液プールの形状は方形である。
【発明の効果】
【００１５】
要約すると、本発明は以下の長点を有する。
【００１６】
本発明の添加システムはたえまなく受液プールに電解質溶液と水分を提供し、効果的にブロックの水分が散逸する問題を解決することができ、導電性の安定性を保証する。壁体に水分と電解質溶液を補充する時に壁体を移動する必要がなく、繰り返し水分と電解質溶液を補充しても集積壁体の移動の不便の制限を受けない。挿入管の上のスルーホールは添加システムからの圧力を減少させることができる。
【図面の簡単な説明】
【００１７】
【図１】図1は、本発明の構造概要図である。
【図２】図2は、第二ブロックの立体図である。
【図３】図3は、第二ブロックの俯瞰図である。
【図４】図4は、第二ブロックの正面図である。
【図５】図5は、図4のA-Aの断面図である。
【図６】図6は、図4のB-Bの断面図である。
【図７】図7は、図3のC-Cの断面図である。
【図８】図8は、図7のD-Dの断面図（電極片の断面図）である。
【図９】図9は、図4のEの箇所の正面図である。
【図１０】図10は、第一ブロックの断面図である。
【図１１】図11は、一列のブロック組の断面図である。
【００１８】
１は添加システム、２は電気箱、３は通気管システム、４は注液管システム、５は第一ブロック、６は第二ブロック、７は端末ブロック、８はコンクリートブロック、９は通気管、１０は挿入管、１１はシールブロック、１２は受液プール、１３は積載槽、１４は母コンセント、１５はプラグ、１６は電極、１７は埋め込む通気管である。
【発明を実施するための形態】
【００１９】
本発明を更に詳しく説明するため、以下では附図および実施形態と結合して、本発明について詳しく説明するものの、本発明の実施形態はこれらに限らない。
【００２０】
便利に叙述するため、下記の文で述べた上下左右前後の方向は以下の通りに規定する。下記の文で述べた上下左右前後の方向は図１の自身の投影関係の方位と一致する。
【００２１】
図1から図11に示されたように、イオン導電コンクリート積みブロック壁体であって、通気管系統、注液管系統、添料系統、電装箱、複数の列並列の積みブロック組を含み、複列ブロックを左から右まで順番に並べて配置する。
【００２２】
毎列のブロック組は端末ブロック、第一ブロックと第二ブロックを含み、第一ブロックは第二ブロックと上から下へ順次に交互に重ね、毎列のブロック組の中に、一番上のブロックと統一する必要があり、全部が第一ブロックまた全部が第二ブロックにする必要がある。本発明の中に、毎列のブロック組の一番上のブロックは第一ブロックで、端末ブロックはブロック組の一番下に位置し、一番下の第一ブロック或いは第二ブロックが端末ブロックの上で重ねて置いて、つまり毎列のブロック組の中に全部の第一ブロックと第二ブロックにとって、一番下のブロックは第一ブロックまた第二ブロックにすることができて、そして第一ブロック或いは第二ブロックを端末ブロックの上に重ねて置く。第一ブロックの長さは第二ブロックのより長く、隣接する二つの第二ブロックの間にコンクリートブロックが設置され、つまり左右に隣接する両列のブロック組の中に、左右に隣接する二つの第二ブロックの間にコンクリートブロックが設置される。
【００２３】
第一の積みブロック、第二の積みブロックと終端積みブロックのそれぞれの上端に集液プールが設けられ、つまり第一ブロック、第二ブロックと端末ブロックの上で一つの溝を掘って受液プールとする。各列の積みブロック組毎におけるすべての集液プールは相互に連通し、つまり同じ列のブロック組にとって、第一ブロックの受液プール、第二ブロックの受液プールと端末ブロックの受液プールが互いにつながっている。注液管系統の插入管は最下の集液プールに相通し、挿入管の本数はブロック組の列数と同じで、一本の挿入管が一列のブロック組端末ブロックの受液プールとつながり、通気管システムの通気管は一番上の受液プールとつながり、通気管の本数はブロック組の列数と同じで、一本の通気管が一列のブロック組の一番上の第一ブロックの受液プールとつながる。通気管システムと注液管システムは添加システムとつながり、第一ブロック、第二ブロックと端末ブロックの上で電極組が設置され、電極組の二つの電極が受液プールの左右両側に位置し、各組の電極組が並列接続した後電気箱と接続する。
【００２４】
第一の積みブロックと第二の積みブロックのそれぞれの下端に共に封止突起が設けられ、封止突起は隣り合う集液プールの上部に嵌め込み、つまり第一ブロックの下の密封ブロックが下にある第二ブロックの受液プールの上に嵌めこんで、第二ブロックの下の密封ブロックが下にある第一ブロックの受液プールの上に嵌めこんで、このように順番に交替に嵌めこむ。下にある第一ブロックまたは第二ブロックが上にある相応の第一ブロックまたは第二ブロックを積載する。第一の積みブロックと第二の積みブロックに共に予埋通気管が設けられ、予埋通気管は上下に隣り合う二つの集液プールを連通させており、つまり同じブロックにとって、ある第一ブロックの中に埋め込む通気管がこの第一ブロックの受液プールと隣接する下の第二ブロックの受液プールとつながる。挿入管は積みブロック組の最上の集液プールから挿入し終端積みブロックの集液プールに延伸し、つまり一本の挿入管が一列ブロック組の一番上の受液プールから挿し込んで、端末ブロックの受液プールまで挿し込む。
【００２５】
集液プールの上部に支持槽が設けられ、支持槽の断面積は集液プールの断面積より大きくて、封止突起は積載槽に押着されており、積載槽の高さは受液プールの高さより低く、積載槽と受液プールの継ぎ目で一つの階段面が形成され、密封ブロックは階段面に押し込んで、これにより第一ブロックまたは第二ブロックを積載することができる。
【００２６】
封止突起に封止接着剤が塗布されており、コーキング材はよい密封性を備えて、溶液の浸透を防ぐ、第一ブロックの外の表面、第二ブロックの外の表面と端末ブロックの外の表面が防水塗膜が塗布され、防水塗膜はエポキシ樹脂エンベロープであり、良い防水性能を備える。
【００２７】
第一の積みブロック、第二の積みブロック、終端積みブロックとコンクリートブロックとの間の隙間に防水モルタルが充填されており、つまり第一ブロックと第二ブロックの間、第一ブロックと端末ブロックの間、第一ブロックとコンクリートブロックの間に隙間が存在しており、これらの隙間を防水モルタルで充填する。
【００２８】
前記電極は片型状であり、片状の電極が薄く、電極の幅は第一の積みブロックの幅または第二の積みブロックの幅より小さく又はそれと等しく、幅が前後方向である。電極の一端に雄プラグが設けられ、電極の他端に雌ソケットが設けられ、電極の端部の雄プラグは上下に隣り合う電極の端部の雌ソケットに挿入されており、つまりある第一ブロックの中の電極にとって、電極のプラグが上の電極のコンセントに挿し込んで、或いは電極のプラグが下の電極のコンセントに挿し込む。
【００２９】
集液プールの体積と相応する第一の積みブロックの体積、第二の積みブロックの体積又は終端積みブロックの体積との比は25％以下である。
【００３０】
挿入管に貫通孔が設けられ、貫通孔の位置は集液プールの空間内に位置する。挿入管に溶液を通す時、溶液が相応するスルーホールを通じて相応の受液プールに流れ出て、これにより添加システムからの圧力を減少する。
【００３１】
第一の積みブロック、第二の積みブロックと終端積みブロックは共に長方体であり、集液プールの形状は方形である。構造は簡単で、制作が便利であり、壁体を積み上げることに便利である。
【００３２】
本発明の原理を説明する。添加システムが注液管システムの中に電解質溶液を輸送し、注液管システムは挿入管を通じて電解質溶液を端末ブロックの受液プールに輸送し、端末ブロックの受液プールが満ちた後、上に溢出し、埋め込む通気管を通じて上の第一ブロックまたは第二ブロックの受液プールの中に溢出し、上の受液プールが満ちた後、再度埋め込まれた通気管を通じて更に上の受液プールの中に溢出する。このように、電解質溶液がまず一番下の受液プールを満たして、次に順番に上の受液プールを満たす。電解質溶液も挿入管のスルーホールを通じて対応の受液プールに流れ出て、このように、添加システムは大きい圧力を要らずに電解質溶液を下から上まで押して、添加システムの圧力供給を軽減する。受液プールの中の空気或いは気泡が埋め込む通気管を通じて上に流れ出て、次に通気管を通じて通気管システムの中に流入し、最後に添加システムに流入する。全部の第一ブロック、第二ブロックと端末ブロックが並列接続で電気回路にアクセスし、電気箱が電圧を提供し、全部の第一ブロック、第二ブロックと端末ブロックが電気箱と閉じた回路を形成し、これにより全部の第一ブロック、第二ブロックと端末ブロックを発熱させ、つまり壁体が発熱する。壁体が発熱した後、室内の暖房、熱橋効果を取り除くことなどに使える。添加システムがたえまなく受液プールに電解質溶液と水分を提供することができ、有効的にブロックの中の水分が散逸する問題を解決することができ、導電性の安定性を保証する。壁体に水分または電解質溶液を補充する時に壁体を移動する必要がなく、このため、繰り返し水分または電解質溶液を補充する時に集積壁体の移動の不便の制限を受けなく、ブロックを電解質溶液に浸して、電解質溶液が速やかにブロックの内部まで浸透し、浸透する時間を減少する。第一ブロック、第二ブロックと端末ブロックはイオン導電コンクリート積みブロックである。
【００３３】
前記実施形態は、本発明のかなり優れた実施方式であるが、これら実施形態を使用した目的は、本発明を説明するためであり、本発明を限定するのではない。本発明の原則と原理を違反しないことを前提に行った変更、修正、代替、簡略化は、全部同等の置換方式として取り扱うものとし、全部本発明の保護範囲に含まれる。
【図１】
2018188950.tif 000003
【図２】
2018188950.tif 000004
【図３】
2018188950.tif 000005
【図４】
2018188950.tif 000006
【図５】
2018188950.tif 000007
【図６】
2018188950.tif 000008
【図７】
2018188950.tif 000009
【図８】
2018188950.tif 000010
【図９】
2018188950.tif 000011
【図１０】
2018188950.tif 000012
【図１１】
2018188950.tif 000013
【手続補正書】
【提出日】平成30年6月22日(2018.6.22)
【手続補正１】
【補正対象書類名】特許請求の範囲
【補正対象項目名】全文
【補正方法】変更
【補正の内容】
【特許請求の範囲】
【請求項１】
イオン導電コンクリート積みブロック壁体であって、通気管系統、注液管系統、添料系統、電装箱、複数の列並列の積みブロック組を含み、各列の積みブロック組は共に終端積みブロックと、上から下へ順次相互に畳置されている第一の積みブロック及び第二の積みブロックとを含み、前記終端積みブロックは前記積みブロック組の最下方に位置し、最下の前記第一の積みブロック又は前記第二の積みブロックは前記終端積みブロックの上に畳置され、前記第一の積みブロックの長さは前記第二の積みブロックの長さよりも長く、隣り合う二つの前記第二の積みブロック同士の間にコンクリートブロックが設けられ、前記第一の積みブロック、前記第二の積みブロックと前記終端積みブロックのそれぞれの上端に集液プールが設けられ、各列の積みブロック組毎におけるすべての前記集液プールは相互に連通し、前記注液管系統の插入管は最下の前記集液プールに相通し、前記通気管系統の通気管は最上の前記集液プールに相通し、前記通気管系統と前記注液管系統は共に前記添料系統に接続しており、前記添料系統は電解質溶液と水分を提供することができ、前記第一の積みブロック、前記第二の積みブロックと前記終端積みブロックに共に電極組が設けられ、前記電極組の二電極はそれぞれ前記集液プールの両側に位置し、各組の前記電極組が並列接続されて前記電装箱と接続しており、前記第一の積みブロックと前記第二の積みブロックのそれぞれの下端に共に封止突起が設けられ、前記封止突起は隣り合う前記集液プールの上部に嵌め込み、前記第一の積みブロックと前記第二の積みブロックに共に予埋通気管が設けられ、前記予埋通気管は上下に隣り合う二つの前記集液プールを連通させており、前記挿入管は前記積みブロック組の最上の前記集液プールから挿入し終端積みブロックの前記集液プールに延伸し、前記集液プールの上部に支持槽が設けられ、前記支持槽の断面積は前記集液プールの断面積より大きくて、前記封止突起は前記積載槽に押着されており、前記封止突起に封止接着剤が塗布されており、前記第一の積みブロック、前記第二の積みブロックと前記終端積みブロックのそれぞれの外面に共に防水フィルムが塗布されており、前記第一の積みブロック、前記第二の積みブロック、前記終端積みブロックと前記コンクリートブロックとの間の隙間に防水モルタルが充填されており、前記の電極は厚みが薄い矩形の片型状であり、前記電極の幅は前記第一の積みブロックの幅または前記第二の積みブロックの幅より小さく又はそれと等しくて、前記電極の一端に雄プラグが設けられ、前記電極の他端に雌ソケットが設けられ、前記電極の端部の前記雄プラグは上下に隣り合う前記電極の端部の前記雌ソケットに挿入されており、前記集液プールの体積と相応する前記第一の積みブロックの体積、前記第二の積みブロックの体積又は前記終端積みブロックの体積との比は25％以下であり、前記挿入管に貫通孔が設けられ、前記貫通孔の位置は前記集液プールの空間内に位置し、前記第一の積みブロック、前記第二の積みブロックと前記終端積みブロックは共に長方体であり、前記集液プールの形状は方形である、ことを特徴とするイオン導電コンクリート積みブロック壁体。